(57)【特許請求の範囲】
【請求項１】
玄関および廊下を中心にした両側に各部屋が配置され、この各部屋が玄関および廊下の空間部に通じた間取りの建物に配設された換気装置であり、この換気装置は浴室、トイレおよび台所以外の部屋を換気する乾室用換気装置と、浴室、トイレおよび台所を換気する湿室用換気装置とから構成され、前記乾室用換気装置は各部屋の天井または壁に設置された吸込口が連結ダクトを介してメインダクトに接続され、該メインダクトが空気清浄装置を介して空間部の吹出口に接続されるとともに、前記メインダクトには外気を取り入れる外気用ダクトが熱交換装置を介して接続されて構成され、前記湿室用換気装置は浴室およびトイレにおける吸込口に接続された連結ダクトが排気ファンに接続され、該排気ファンに接続された排気ダクトが熱交換装置に接続されて浴室およびトイレを２４時間連続的に換気する連続換気措置と、吸込口に接続された排気ダクトが排気ファンに接続されて台所を換気する台所用換気装置とからなることを特徴とする換気装置。
【発明の詳細な説明】
【０００１】
【発明の属する技術分野】
本発明は換気装置に関するものである。
【０００２】
【従来の技術】
従来の建物の換気方法および換気装置は、図２に示すようなものが使用されている。同図の（１）に示す換気装置３０は、浴室３１、トイレ３２、台所３３および各部屋３６の吸込口３４から吸い込まれた汚染空気がダクト３５によって外部に放出される独立した換気装置であり、新鮮な空気は各部屋３６の換気扇３７からの空気が取り入れられている。また同図の（２）に示す換気装置３０は、浴室３１、トイレ３２および台所３３を除く各部屋３６とつながった空間部３８の吸込口３４から吸い込まれた空気と、外気とが空気清浄装置３９によって清浄されて浴室３１、トイレ３２および台所３３を除く各部屋３６に給気されるものであり、浴室３１、トイレ３２および台所３３は独立した換気が行われている。また同図の（３）に示す換気装置３０は、各部屋３６とつながった空間部３８の空気が空気清浄装置３９を介して浴室３１、トイレ３２および台所３３を除く各部屋３６に給気され、前記空間部３８の空気が熱交換されて外部に放出されるとともに、外気が熱交換されて空間部３８に給気されるものであり、浴室３１、トイレ３２および台所３３は独立した換気が行われている。
【０００３】
【発明が解決しようとする課題】
しかし、上記（１）〜（３）の換気方法および換気装置は、日射の影響により発生した各部屋の温度差を解消することができない。このため建物の各部屋に冷暖房装置を設置することは機器の運用面からも適切ではない。
【０００４】
本発明は上記のような問題に鑑みてなされたものであり、その目的は、建物の各部屋を空気清浄するとともに、各部屋内の温度の均一化を図ることである。
【０００５】
【課題を解決するための手段】
以上の課題を解決するための換気装置は、玄関および廊下を中心にした両側に各部屋が配置され、この各部屋が玄関および廊下の空間部に通じた間取りの建物に配設された換気装置であり、この換気装置は浴室、トイレおよび台所以外の部屋を換気する乾室用換気装置と、浴室、トイレおよび台所を換気する湿室用換気装置とから構成され、前記乾室用換気装置は各部屋の天井または壁に設置された吸込口が連結ダクトを介してメインダクトに接続され、該メインダクトが空気清浄装置を介して空間部の吹出口に接続されるとともに、前記メインダクトには外気を取り入れる外気用ダクトが熱交換装置を介して接続されて構成され、前記湿室用換気装置は浴室およびトイレにおける吸込口に接続された連結ダクトが排気ファンに接続され、該排気ファンに接続された排気ダクトが熱交換装置に接続されて浴室およびトイレを２４時間連続的に換気する連続換気措置と、吸込口に接続された排気ダクトが排気ファンに接続されて台所を換気する台所用換気装置とからなることを特徴とする。
【０００６】
各部屋からの汚染空気と、熱回収された外気とが空気清浄装置によって清浄されて前記各部屋とつながった空間部に放出されると、この清浄空気は空間部から各部屋内に取り込まれるので、全ての部屋の温度が均一となる。また浴室、トイレおよび台所は室内汚染の発生源であるため、これらの汚染空気が各部屋に広がるのを防げる。また各部屋の吸込口から吸い込まれた汚染空気と、熱交換された外気とが空気清浄装置により清浄されて吹出口から空間部に放出される。この放出された清浄空気は空間部を通して各部屋に取り込まれるため、各部屋の温度が均一となる。また浴室、トイレおよび台所の吸込口からの汚染空気が熱交換装置で熱交換されて外部に放出されるので、汚染空気が各部屋に広がるのを防げる。
【００１３】
【発明の実施の形態】
以下、本発明の換気方法およびその装置の実施の形態を図面に基づいて詳細に説明する。はじめに換気装置について説明し、その後で換気方法について説明する。図１は本発明の換気装置を示す平面図である。
【００１４】
換気装置１は図１に示すような間取りの建物２に配設され、玄関３および廊下４を中心にした両側に洋室５、浴室６、トイレ７、台所８、和室９および居間１０が配置され、各部屋が前記玄関３および廊下４の空間部１１に通じた構成となっている。
【００１５】
前記換気装置１は、洋室５、和室９および居間１０を換気する乾室用換気装置１２と、浴室６、トイレ７および台所８を換気する湿室用換気装置１３とから構成されている。
【００１６】
乾室用換気装置１２は洋室５、和室９および居間１０における吸込口１４と、玄関３と廊下４とからなる空間部１１における吹出口１５と、これらを接続する連結ダクト１６およびメインダクト１７と、該メインダクト１７に設置された空気清浄装置１８と、メインダクト１７に熱交換装置１９を介して接続された外気用ダクト２０とから構成されている。前記洋室５、和室９および居間１０の天井または壁には吸込口１４がそれぞれ設置され、これらの吸込口１４が連結ダクト１６を介してメインダクト１７に接続され、該メインダクト１７が空気清浄装置１８を介して空間部１１の吹出口１５に接続されるとともに、前記メインダクト１７には外気を取り入れる外気用ダクト２０が熱交換装置１９を介して接続されている。
【００１７】
一方、湿室用換気装置１３は浴室６およびトイレ７を２４時間連続的に換気する連続換気措置１３ａと、台所８を換気する台所用換気装置１３ｂとに分かれている。前記連続換気装置１３ａは、浴室６およびトイレ７における吸込口２３に接続された連結ダクト２４が排気ファン２５に接続され、該排気ファン２５に接続された排気ダクト２６が熱交換装置１９に接続して形成されている。また台所の台所用換気装置１３ｂは、吸込口２７に接続された排気ダクト２８が排気ファン２９に接続して形成されている。
【００１８】
次に、以上のような換気装置を使用した換気方法について説明する。まず、乾室換気装置１２における各部屋の吸込口１４から吸い込まれた汚染空気と、熱交換装置１９で熱交換された外気とが空気清浄装置１８で清浄され、該清浄空気が空間部１１の吹出口１５から放出される。この空間部１１に放出された清浄空気は一定の温度となり、前記空間部１１を通して全ての部屋５、６、７、８、９、１０に取り込まれるので、これらの温度が均一となる。
【００１９】
一方、湿室用換気装置１３においては、室６やトイレ７の吸込口２３から吸い込まれた汚染空気が２４時間稼働の排気ファン２５で外部に放出されるが、この放出時に熱交換装置１９で熱交換される。さらに台所８における吸込口２７から吸い込まれた汚染空気も排気ダクト２８によって外部に放出される。したがって、室内汚染の発生源である浴室６、トイレ７および台所８における汚染空気が他の部屋５、９、１０に入るのを防げる。
【００２０】
【発明の効果】
各部屋からの汚染空気と、熱回収された外気とが空気清浄装置によって清浄されて前記各部屋とつながった空間部に放出されると、この清浄空気は空間部から全ての部屋内に取り込まれるので、全ての部屋内の温度を均一にできる
【００２１】
台所、浴室およびトイレの吸込口からの汚染空気が熱交換装置で熱交換されて外部に放出されるので、汚染空気が各部屋に広がるのを防げる。
【００２２】
簡単な換気装置により各部屋の空気洗浄と、温度の均一化とが容易かつ効率的に行える。
【図面の簡単な説明】
【図１】換気装置の平面図である。
【図２】（１）〜（３）は従来の換気装置の平面図である。
【符号の説明】
１、２１、２２、３０  換気装置
２  建物
３  玄関
４  廊下
５  洋室
６、３１  浴室
７、３２  トイレ
８、３３  台所
９  和室
１０  居間
１１、３８  空間部
１２  乾室用換気装置
１３  湿室用換気装置
１４、２３、２７、３４  吸込口
１５  吹出口
１６、２４  連結ダクト
１７  メインダクト
１８、３９  空気清浄装置
１９  熱交換装置
２０  外気用ダクト
２５、２９  排気ファン
２６、２８  排気ダクト
３５  ダクト
３６  部屋
３７  換気扇
【図１】
0004007694.tif 000002
【図２】
0004007694.tif 000003